(57)【要約】【課題】イベント会場を訪れた移動体端末所持ユーザに対し、該ユーザが該イベント会場を退場後所定条件下、特定のサービスを提供するシステム及びその方法を提供する。【解決手段】サーバ装置から、該サーバ装置と通信可能に構成された移動体端末装置へサービスを提供するために、移動体端末装置がイベント会場を退場したか否かを判定し、該判定の結果、該イベント会場を退場したと判定された移動体端末装置へ、該サーバ装置との通信を可能にするためのバーチャルチケットを配信し、該移動体端末装置が該配信されたバーチャルチケットを実行するときの時刻及び／又は座標を、該バーチャルチケットに関連付けられた時間制限情報及び／又は位置制限情報と比較し、該比較の結果に基づいて、該移動体端末装置と該サーバ装置との間の通信を許可する。【選択図】図１
2015162031.tif 000002
【特許請求の範囲】
【請求項１】
サーバ装置と、該サーバ装置と通信可能に構成された移動体端末装置とを備えるサービス提供システムであって、
前記移動体端末装置がイベント会場を退場したか否かを判定する判定部と、
前記判定の結果、前記イベント会場を退場したと判定された移動体端末装置へ、前記サーバ装置との通信を可能にするためのバーチャルチケットを配信する配信部と、
前記移動体端末装置が前記配信されたバーチャルチケットを実行するときの時刻及び／又は座標を、前記バーチャルチケットに関連付けられた時間制限情報及び／又は位置制限情報と比較する比較部と、
前記比較の結果に基づいて、前記移動体端末装置と前記サーバ装置との間の通信を許可する通信許可部と、
を備える、サービス提供システム。
【請求項２】
前記サーバ装置から前記移動体端末装置にサービスを提供する提供部、を更に備え、
前記通信許可部は、前記提供部へアクセスすることを可能にする、
請求項１に記載のサービス提供システム。
【請求項３】
前記サービスは、前記イベント会場に関連付けられたバーチャルショップの利用、前記イベント会場内のライブ音声の配信及び該イベント会場内のライブ映像の配信のうちの少なくとも一つである、
請求項２に記載のサービス提供システム。
【請求項４】
前記サービスは、前記イベント会場内のライブ映像の配信であり、
前記ライブ映像を位置情報と関連付けて取得する取得部と、
前記移動体端末装置の前記イベント会場内の移動履歴に基づいて、該イベント会場内における該移動体端末装置の位置を特定する特定部と、
前記特定された位置に基づいて、前記取得されたライブ映像を選択する選択部と、を備え、
前記提供部は、前記選択されたライブ映像の配信を提供する、
請求項２に記載のサービス提供システム。
【請求項５】
前記時間制限情報及び／又は位置制限情報は、前記バーチャルチケットに直接的に関連付けられ、
前記移動体端末装置は前記比較部を備える、
請求項１〜４のいずれか一項に記載のサービス提供システム。
【請求項６】
前記サーバ装置は、前記配信部及び前記比較部を備え、
前記配信部は、前記バーチャルチケットとともに該バーチャルチケットを識別可能なＩＤ情報を前記配信し、
前記バーチャルチケットの配信に基づいて、該バーチャルチケットに関連付けるための前記時間制限情報及び／又は位置制限情報を生成し、該バーチャルチケットのＩＤ情報に関連付けて保有する生成・保有部、を備え、
前記比較部は、前記実行されるバーチャルチケットのＩＤ情報に対応する、前記生成され、保有された時間制限情報及び／又は位置制限情報に基づいて前記比較する、
請求項１〜４のいずれか一項に記載のサービス提供システム。
【請求項７】
請求項１〜４のいずれか一項に記載のサービス提供システムに用いられる移動体端末装置であって、
前記バーチャルチケットの配信に基づいて、該バーチャルチケットに関連付けるための前記時間制限情報及び／又は位置制限情報を生成し、保有する生成・保有部と、
前記生成され、保有された時間制限情報及び／又は位置制限情報に基づいて前記比較する比較部と、
を備える、移動体端末装置。
【請求項８】
請求項１〜４のいずれか一項に記載のサービス提供システムに用いられる移動体端末装置であって、
前記サーバ装置が、前記バーチャルチケットに関連付けるために生成した前記時間制限情報及び／又は位置制限情報に基づいて前記比較する比較部、
を備える、移動体端末装置。
【請求項９】
請求項１〜４のいずれか一項に記載のサービス提供システムに用いられるサーバ装置であって、
前記判定部と、前記配信部と、前記比較部と、前記通信許可部と、を備え、
前記配信部は、前記バーチャルチケットとともに該バーチャルチケットを識別可能なＩＤ情報を前記配信し、
前記バーチャルチケットに関連付けるための前記時間制限情報及び／又は位置制限情報を生成し、該バーチャルチケットのＩＤ情報に関連付けて保有する生成・保有部と、
前記比較部は、前記生成され、保有された時間制限情報及び／又は位置制限情報に基づいて前記比較する、
サーバ装置。
【請求項１０】
サーバ装置から、該サーバ装置と通信可能に構成された移動体端末装置へサービスを提供するサービス提供方法であって、
判定部が、前記移動体端末装置がイベント会場を退場したか否かを判定する判定ステップと、
配信部が、前記判定の結果、前記イベント会場を退場したと判定された移動体端末装置へ、前記サーバ装置との通信を可能にするためのバーチャルチケットを配信する配信ステップと、
比較部が、前記移動体端末装置が前記配信されたバーチャルチケットを実行するときの時刻及び／又は座標を、前記バーチャルチケットに関連付けられた時間制限情報及び／又は位置制限情報と比較する比較ステップと、
通信許可部が、前記比較の結果に基づいて、前記移動体端末装置と前記サーバ装置との間の通信を許可する通信許可ステップと、
を備える、サービス提供方法。
【請求項１１】
提供部が、前記サーバ装置から前記移動体端末装置にサービスを提供する提供ステップ、を更に備え、
前記通信許可ステップでは、前記提供部へアクセスすることを可能にする、
請求項１０に記載のサービス提供方法。
【請求項１２】
前記サービスは、前記イベント会場に関連付けられたバーチャルショップの利用、前記イベント会場内のライブ音声の配信及び該イベント会場内のライブ映像の配信のうちの少なくとも一つである、
請求項１１に記載のサービス提供方法。
【請求項１３】
前記サービスは、前記イベント会場内のライブ映像の配信であり、
取得部が、前記ライブ映像を位置情報と関連付けて取得する取得ステップと、
特定部が、前記移動体端末装置の前記イベント会場内の移動履歴に基づいて、該イベント会場内における該移動体端末装置の位置を特定する特定ステップと、
選択部が、前記特定された位置に基づいて、前記取得されたライブ映像を選択する選択ステップと、を備え、
前記提供ステップでは、前記選択されたライブ映像の配信を提供する、
請求項１１に記載のサービス提供方法。
【請求項１４】
前記時間制限情報及び／又は位置制限情報は、前記バーチャルチケットに直接的に関連付けられ、
前記比較ステップは、前記移動体端末装置において実行される、
請求項１０〜１３のいずれか一項に記載のサービス提供方法。
【請求項１５】
前記配信ステップ及び前記比較ステップは、前記サーバ装置において実行され、
前記配信ステップでは、前記バーチャルチケットとともに該バーチャルチケットを識別可能なＩＤ情報を前記配信し、
生成・保有部が、前記バーチャルチケットの配信に基づいて、該バーチャルチケットに関連付けるための前記時間制限情報及び／又は位置制限情報を生成し、該バーチャルチケットのＩＤ情報に関連付けて保有する生成・保有ステップ、を備え、
前記比較ステップでは、前記実行されるバーチャルチケットのＩＤ情報に対応する、前記生成され、保有された時間制限情報及び／又は位置制限情報に基づいて前記比較する、
請求項１０〜１３のいずれか一項に記載のサービス提供方法。
【請求項１６】
サーバ装置から、該サーバ装置と通信可能に構成された移動体端末装置へサービスを提供するためのコンピュータプログラムであって、コンピュータを、
前記移動体端末装置がイベント会場を退場したか否かを判定する判定手段と、
前記判定の結果、前記イベント会場を退場したと判定された移動体端末装置へ、前記サーバ装置との通信を可能にするためのバーチャルチケットを配信する配信手段と、
前記移動体端末装置が前記配信されたバーチャルチケットを実行するときの時刻及び／又は座標を、前記バーチャルチケットに関連付けられた時間制限情報及び／又は位置制限情報と比較する比較手段と、
前記比較の結果に基づいて、前記移動体端末装置と前記サーバ装置との間の通信を許可する通信許可手段、
として機能させる、コンピュータプログラム。
【請求項１７】
前記コンピュータを、更に、前記サーバ装置から前記移動体端末装置にサービスを提供する提供手段、として機能させ、
前記通信許可手段は、前記提供手段へアクセスすることを可能にする、
請求項１６に記載のコンピュータプログラム。
【請求項１８】
前記サービスは、前記イベント会場に関連付けられたバーチャルショップの利用、前記イベント会場内のライブ音声の配信及び該イベント会場内のライブ映像の配信のうちの少なくとも一つである、
請求項１７に記載のコンピュータプログラム。
【請求項１９】
前記サービスは、前記イベント会場内のライブ映像の配信であり、
前記ライブ映像を位置情報と関連付けて取得する取得手段と、
前記移動体端末装置の前記イベント会場内の移動履歴に基づいて、該イベント会場内における該移動体端末装置の位置を特定する特定手段と、
前記特定された位置に基づいて、前記取得されたライブ映像を選択する選択手段、として機能させ、
前記提供手段は、前記選択されたライブ映像の配信を提供する、
請求項１７に記載のコンピュータプログラム。
【請求項２０】
請求項１〜４のいずれか一項に記載のサービス提供システムに用いられる移動体端末装置のためのコンピュータプログラムであって、
前記コンピュータを、
前記移動体端末装置がイベント会場を退場したか否かを判定する判定手段と、
前記移動体端末装置が前記配信されたバーチャルチケットを実行するときの時刻及び／又は座標を、前記バーチャルチケットに直接的に関連付けられた時間制限情報及び／又は位置制限情報と比較する比較手段、
として機能させる、コンピュータプログラム。
【請求項２１】
請求項１〜４のいずれか一項に記載のサービス提供システムに用いられるサーバ装置のためのコンピュータプログラムであって、前記コンピュータを、
前記判定の結果、前記イベント会場を退場したと判定された移動体端末装置へ、前記サーバ装置との通信を可能にするためのバーチャルチケット及び該バーチャルチケットを識別可能なＩＤ情報を配信する配信手段と、
前記バーチャルチケットの配信に基づいて、該バーチャルチケットに関連付けるための前記時間制限情報及び／又は位置制限情報を生成し、該バーチャルチケットのＩＤ情報に関連付けて保有する生成・保有手段と、
前記移動体端末装置が前記配信されたバーチャルチケットを実行するときの時刻及び／又は座標を、前記実行されるバーチャルチケットのＩＤ情報に対応する、前記生成され、保有された時間制限情報及び／又は位置制限情報と比較する比較手段、
として機能させる、コンピュータプログラム。
【請求項２２】
請求項１６〜２１のいずれか一項に記載のコンピュータプログラムを記録する記録媒体。
【発明の詳細な説明】
【技術分野】
【０００１】
本発明は、イベント会場を訪れた移動体端末所持ユーザに対し、該ユーザが該イベント会場を退場後所定条件下、特定のサービスを提供するシステム及びその方法に関する。
【背景技術】
【０００２】
近年、スマートフォンに代表される移動体端末装置やインターネットの発達に伴い、ネットショップ等オンラインで商品を購入可能なシステムが急速に普及してきている。
一方、施設内の店舗で購入した商品を手荷物として所持しながら該施設内を移動しなければならない、また、店舗利用者が集中している場合には商品を購入するために並んで待機しなければならない、という利用者の負担を軽減することを目的としたシステムが提案されている（特許文献１）。そして、特許文献１には、装置ＩＤを記憶した記憶装置と商品の取引内容を示す情報を入力するための入力装置とを有する端末を備え、該端末からから送信される装置ＩＤ及び入力された商品の取引内容を示す情報と、利用者の施設退場予定時刻及び施設退場予定入退場口とに基づいて、退場予定時刻までに退場予定入退場口へ、上記取引内容に係る商品を配送指示する決済システムが開示されている。
本発明に関連する従来技術を開示する特許文献２又は３も参照されたい。
【先行技術文献】
【特許文献】
【０００３】
【特許文献１】特開２００５−３１０００６号公報
【特許文献２】特開２０１０−２６７１５８号公報
【特許文献３】特開２０１２−１４１８６５号公報
【発明の概要】
【発明が解決しようとする課題】
【０００４】
ここで、イベントを運営する運営主体や施設の運営主体によっては、イベントや施設への来場者を獲得することや、イベントや施設に関連するサービスの希少性を高めること等を目的として、イベント会場や施設内でのみ取り扱う限定販売等のサービス提供を行っている。しかしながら、このようなサービスにおいては、上述のようなユーザの負担だけでなく、イベント会場内や施設内に限定したサービス提供であるため、上記運営主体にとってサービス提供の機会を逃していることになる。
そこで、本発明者らは、イベントや施設に関連するサービスの希少性を維持しつつ、さらなるサービス提供の機会を拡充すべく鋭意検討を重ねてきた。その結果、イベント会場を訪れたユーザに対して、会場を退場後所定条件の下で、ユーザの所持する移動体端末装置とサービス提供可能なサーバ装置との間の通信を許可することにより、上記課題を解決できることに想到した。
【課題を解決するための手段】
【０００５】
この発明は上述の課題に鑑みてなされたものであり、その第１の局面は次のように規定される。即ち、
サーバ装置と、該サーバ装置と通信可能に構成された移動体端末装置とを備えるサービス提供システムであって、
前記移動体端末装置がイベント会場を退場したか否かを判定する判定部と、
前記判定の結果、前記イベント会場を退場したと判定された移動体端末装置へ、前記サーバ装置との通信を可能にするためのバーチャルチケットを配信する配信部と、
前記移動体端末装置が前記配信されたバーチャルチケットを実行するときの時刻及び／又は座標を、前記バーチャルチケットに関連付けられた時間制限情報及び／又は位置制限情報と比較する比較部と、
前記比較の結果に基づいて、前記移動体端末装置と前記サーバ装置との間の通信を許可する通信許可部と、
を備える、サービス提供システム。
【０００６】
このように規定される第１の局面のサービス提供システムによれば、イベント会場を訪れたユーザの移動体端末装置がイベント会場を退場したか否かを判定し、退場した旨の判定がなされたとき該移動体端末装置へバーチャルチケットが配信され、該バーチャルチケット実行時の条件が予め定められた条件を満たす場合には、移動体端末装置とサービス提供可能なサーバ装置との間の通信を許可する。
ここで、前記サーバ装置から前記移動体端末装置にサービスを提供する提供部、を更に備え、前記通信許可部は、前記提供部へアクセスすることを可能にする（第２の局面）。
このようなシステムであれば、イベント会場へ訪れたユーザに限定してサービスを提供することができるため、該サービスの希少性や限定感を維持しつつ、運営主体のサービス提供の機会を拡充することができる。このようなサービス提供の機会は、運営主体にとってより効果的に実施されるべく、ユーザの高揚感が高い間に実施されることが好ましい。そして、ユーザがイベント会場内で感じる高揚感は、イベント会場退場時からの時間経過が長くなるほど、あるいは、イベント会場から位置的に離れるほど、減少する傾向にある。そこで、この発明のサービス提供システムでは、ユーザがサービス提供を受けることができる時間的、位置的制限を設け、ユーザの高揚感が持続している間にサービス提供可能となるようにしている。
【０００７】
上記バーチャルチケットは、サーバ装置から移動体端末装置へ配信されるデジタルデータであって、サーバ装置との通信を可能にするチケットに相当するデジタルデータである。当該バーチャルチケットは、ユーザの移動体端末装置の表示画面にポップアップ画像で表示されたり、ユーザの移動体端末装置に対応する電子メールにサービス提供に関するＷｅｂページのアドレスを示すＵＲＬ情報を貼付されたりすることによって配信されることができる。当該バーチャルチケットには、直接的に、あるいは、間接的に、時間制限情報、位置制限情報が関連付けられている。当該制限情報がバーチャルチケットに直接的に関連付けられている場合として、例えば、サーバ装置がバーチャルチケットを配信する際にサーバ装置側で上記制限情報を付与し、該制限情報をバーチャルチケットとともに移動体端末装置に配信する場合や、移動体端末装置がバーチャルチケットを受信した後、移動体端末装置側で上記制限情報を付与する場合等が挙げられる。一方、制限情報がバーチャルチケットに間接的に関連付けられている場合として、例えば、サーバ装置がバーチャルチケットを配信する際にサーバ装置側で上記制限情報を付与し、バーチャルチケットのみを移動体端末装置に配信し、該制限情報を該配信したバーチャルチケットと対応付け可能なようにサーバ装置側で保有する場合等が挙げられる。
【０００８】
すなわち、前者の例として、上記サービス提供システムにおいて、前記時間制限情報及び／又は位置制限情報は、前記バーチャルチケットに直接的に関連付けられ、前記移動体端末装置は前記比較部を備えることとしても良い（第５の局面）。
後者の例としては、上記サービス提供システムにおいて、前記サーバ装置は、前記配信部及び前記比較部を備え、前記配信部は、前記バーチャルチケットとともに該バーチャルチケットを識別可能なＩＤ情報を前記配信し、前記バーチャルチケットの配信に基づいて、該バーチャルチケットに関連付けるための前記時間制限情報及び／又は位置制限情報を生成し、該バーチャルチケットのＩＤ情報に関連付けて保有する生成・保有部、を備え、前記比較部は、前記実行されるバーチャルチケットのＩＤ情報に対応する、前記生成され、保有された時間制限情報及び／又は位置制限情報に基づいて前記比較することとすることができる（第６の局面）。
【０００９】
上記移動体端末装置に提供するサービスは、前記イベント会場に関連付けられたバーチャルショップの利用、前記イベント会場内のライブ音声の配信及び該イベント会場内のライブ映像の配信のうちの少なくとも一つである（第３の局面）。
また、このバーチャルチケットは、サーバ装置がサービスを提供する提供部を備えている場合には、特に該提供部へのアクセスを可能にするものである。
上記バーチャルショップとは、インターネット上で商品等の販売を行う仮想店舗を意味する。
【００１０】
この発明の第４の局面は次のように規定される。即ち、
第３の局面に規定のサービス提供システムにおいて、前記サービスは、前記イベント会場内のライブ映像の配信であり、
前記ライブ映像を位置情報と関連付けて取得する取得部と、
前記移動体端末装置の前記イベント会場内の移動履歴に基づいて、該イベント会場内における該移動体端末装置の位置を特定する特定部と、
前記特定された位置に基づいて、前記取得されたライブ映像を選択する選択部と、を備え、
前記提供部は、前記選択されたライブ映像の配信を提供する。
このように規定される第４の局面のサービス提供システムによれば、移動体端末装置に提供するサービスとしてライブ映像を配信する際、イベント会場内において移動体端末装置が位置していた場所近傍で取得されたライブ映像を配信することができる。このようなシステムとすることにより、イベント会場内での視点と同様の視点でライブ映像を視聴できるため、ユーザはイベント会場を退場した後であってもイベント会場内にいたときのような臨場感を体感することができる。
【００１１】
上記サービス提供システムに用いられる移動体端末装置は、前記バーチャルチケットの配信に基づいて、該バーチャルチケットに関連付けるための前記時間制限情報及び／又は位置制限情報を生成し、保有する生成・保有部と、前記生成され、保有された時間制限情報及び／又は位置制限情報に基づいて前記比較する比較部と、を備える、移動体端末装置とすることができる（第７の局面）。
他の例として、上記サービス提供システムに用いられる移動体端末装置は、前記サーバ装置が、前記バーチャルチケットの配信に基づいて、該バーチャルチケットに関連付けるために生成した前記時間制限情報及び／又は位置制限情報に基づいて前記比較する比較部、を備える、移動体端末装置としても良い（第８の局面）。
一方、上記サービス提供システムに用いられるサーバ装置としては、前記判定部と、前記配信部と、前記比較部と、前記通信許可部と、を備え、前記配信部は、前記バーチャルチケットとともに該バーチャルチケットを識別可能なＩＤ情報を前記配信し、前記バーチャルチケットの配信に基づいて、該バーチャルチケットに関連付けるための前記時間制限情報及び／又は位置制限情報を生成し、該バーチャルチケットのＩＤ情報に関連付けて保有する生成・保有部と、前記比較部は、前記生成され、保有された時間制限情報及び／又は位置制限情報に基づいて前記比較する、サーバ装置とすることができる。
【００１２】
また、この発明の第１０の局面は次のように規定される。即ち、
サーバ装置から、該サーバ装置と通信可能に構成された移動体端末装置へサービスを提供するサービス提供方法であって、
判定部が、前記移動体端末装置がイベント会場を退場したか否かを判定する判定ステップと、
配信部が、前記判定の結果、前記イベント会場を退場したと判定された移動体端末装置へ、前記サーバ装置との通信を可能にするためのバーチャルチケットを配信する配信ステップと、
比較部が、前記移動体端末装置が前記配信されたバーチャルチケットを実行するときの時刻及び／又は座標を、前記バーチャルチケットに関連付けられた時間制限情報及び／又は位置制限情報と比較する比較ステップと、
通信許可部が、前記比較の結果に基づいて、前記移動体端末装置と前記サーバ装置との間の通信を許可する通信許可ステップと、
を備える、サービス提供方法。
このように規定される第１０の局面の発明によれば、第１の局面と同等の効果を奏する。
【００１３】
この発明の第１１の局面は次のように規定される。即ち、
第１０の局面に規定の方法において、提供部が、前記サーバ装置から前記移動体端末装置にサービスを提供する提供ステップ、を更に備え、
前記通信許可ステップでは、前記提供部へアクセスすることを可能にする。
このように規定される第１１の局面の発明によれば、第２の局面と同等の効果を奏する。
【００１４】
この発明の第１２の局面は次のように規定される。即ち、
第１１の局面に規定の方法において、前記サービスは、前記イベント会場に関連付けられたバーチャルショップの利用、前記イベント会場内のライブ音声の配信及び該イベント会場内のライブ映像の配信のうちの少なくとも一つである。
このように規定される第１２の局面の発明によれば、第３の局面と同等の効果を奏する。
【００１５】
この発明の第１３の局面は次のように規定される。即ち、
第１１の局面に規定の方法において、前記サービスは、前記イベント会場内のライブ映像の配信であり、
取得部が、前記ライブ映像を位置情報と関連付けて取得する取得ステップと、
特定部が、前記移動体端末装置の前記イベント会場内の移動履歴に基づいて、該イベント会場内における該移動体端末装置の位置を特定する特定ステップと、
選択部が、前記特定された位置に基づいて、前記取得されたライブ映像を選択する選択ステップと、を備え、
前記提供ステップでは、前記選択されたライブ映像の配信を提供する。
このように規定される第１３の局面の発明によれば、第４の局面と同等の効果を奏する。
【００１６】
この発明の第１４の局面は次のように規定される。即ち、
第１０〜第１３のいずれかの局面に規定の方法において、前記時間制限情報及び／又は位置制限情報は、前記バーチャルチケットに直接的に関連付けられ、
前記比較ステップは、前記移動体端末装置において実行される。
このように規定される第１４の局面の発明によれば、第５の局面と同等の効果を奏する。
【００１７】
この発明の第１５の局面は次のように規定される。即ち、
第１０〜第１３のいずれかの局面に規定の方法において、前記配信ステップ及び前記比較ステップは、前記サーバ装置において実行され、
前記配信ステップでは、前記バーチャルチケットとともに該バーチャルチケットを識別可能なＩＤ情報を前記配信し、
生成・保有部が、前記バーチャルチケットの配信に基づいて、該バーチャルチケットに関連付けるための前記時間制限情報及び／又は位置制限情報を生成し、該バーチャルチケットのＩＤ情報に関連付けて保有する生成・保有ステップ、を備え、
前記比較ステップでは、前記実行されるバーチャルチケットのＩＤ情報に対応する、前記生成され、保有された時間制限情報及び／又は位置制限情報に基づいて前記比較する。
このように規定される第１５の局面の発明によれば、第６の局面と同等の効果を奏する。
【００１８】
この発明の第１６の局面は次のように規定される。即ち、
サーバ装置から、該サーバ装置と通信可能に構成された移動体端末装置へサービスを提供するためのコンピュータプログラムであって、コンピュータを、
前記移動体端末装置がイベント会場を退場したか否かを判定する判定手段と、
前記判定の結果、前記イベント会場を退場したと判定された移動体端末装置へ、前記サーバ装置との通信を可能にするためのバーチャルチケットを配信する配信手段と、
前記移動体端末装置が前記配信されたバーチャルチケットを実行するときの時刻及び／又は座標を、前記バーチャルチケットに関連付けられた時間制限情報及び／又は位置制限情報と比較する比較手段と、
前記比較の結果に基づいて、前記移動体端末装置と前記サーバ装置との間の通信を許可する通信許可手段、
として機能させる、コンピュータプログラム。
このように規定される第１６の局面の発明によれば、第１の局面と同等の効果を奏する。
【００１９】
この発明の第１７の局面は次のように規定される。即ち、
第１６の局面に規定のコンピュータプログラムにおいて、前記コンピュータを、更に、前記サーバ装置から前記移動体端末装置にサービスを提供する提供手段、として機能させ、
前記通信許可手段は、前記提供手段へアクセスすることを可能にする。
このように規定される第１７の局面の発明によれば、第２の局面と同等の効果を奏する。
【００２０】
この発明の第１８の局面は次のように規定される。即ち、
第１７の局面に規定のコンピュータプログラムにおいて、前記サービスは、前記イベント会場に関連付けられたバーチャルショップの利用、前記イベント会場内のライブ音声の配信及び該イベント会場内のライブ映像の配信のうちの少なくとも一つである。
このように規定される第１８の局面の発明によれば、第３の局面と同等の効果を奏する。
【００２１】
この発明の第１９の局面は次のように規定される。即ち、
第１７の局面に規定のコンピュータプログラムにおいて、前記サービスは、前記イベント会場内のライブ映像の配信であり、
前記ライブ映像を位置情報と関連付けて取得する取得手段と、
前記移動体端末装置の前記イベント会場内の移動履歴に基づいて、該イベント会場内における該移動体端末装置の位置を特定する特定手段と、
前記特定された位置に基づいて、前記取得されたライブ映像を選択する選択手段、として機能させ、
前記提供手段は、前記選択されたライブ映像の配信を提供する。
このように規定される第１９の局面の発明によれば、第４の局面と同等の効果を奏する。
【００２２】
この発明の第２０の局面は次のように規定される。即ち、
第１〜第４のいずれかの局面に規定のサービス提供システムに用いられる移動体端末装置のためのコンピュータプログラムであって、
前記コンピュータを、
前記移動体端末装置がイベント会場を退場したか否かを判定する判定手段と、
前記移動体端末装置が前記配信されたバーチャルチケットを実行するときの時刻及び／又は座標を、前記バーチャルチケットに直接的に関連付けられた時間制限情報及び／又は位置制限情報と比較する比較手段、
として機能させる、コンピュータプログラム。
このように規定される第２０の局面の発明によれば、第５の局面と同等の効果を奏する。
【００２３】
この発明の第１０の局面は次のように規定される。即ち、
第１〜第４のいずれかの局面に規定のサービス提供システムに用いられるサーバ装置のためのコンピュータプログラムであって、前記コンピュータを、
前記判定の結果、前記イベント会場を退場したと判定された移動体端末装置へ、前記サーバ装置との通信を可能にするためのバーチャルチケット及び該バーチャルチケットを識別可能なＩＤ情報を配信する配信手段と、
前記バーチャルチケットの配信に基づいて、該バーチャルチケットに関連付けるための前記時間制限情報及び／又は位置制限情報を生成し、該バーチャルチケットのＩＤ情報に関連付けて保有する生成・保有手段と、
前記移動体端末装置が前記配信されたバーチャルチケットを実行するときの時刻及び／又は座標を、前記実行されるバーチャルチケットのＩＤ情報に対応する、前記生成され、保有された時間制限情報及び／又は位置制限情報と比較する比較手段、
として機能させる、コンピュータプログラム。
このように規定される第２１の局面の発明によれば、第６の局面と同等の効果を奏する。
【００２４】
第１６〜第２１のいずれかの局面に規定されるコンピュータプログラムを記録する記録媒体が第２２の局面として規定される。
【図面の簡単な説明】
【００２５】
【図１】図１は、本発明の実施の形態のサービス提供システム１の構成を示すブロック図である。
【図２】図２は、本発明の実施の形態のサービス提供システム１の動作の一例を示すフローチャートである。
【図３】図３は、本発明の他の実施の形態のサービス提供システム１００の構成を示すブロック図である。
【図４】図４は、本発明の他の実施の形態のサービス提供システム２００の構成を示すブロック図である。
【図５】図５は、本発明の実施例のサービス提供システム３００の構成を示すブロック図である。
【発明を実施するための形態】
【００２６】
この発明の実施の形態のサービス提供システムを説明する。
図１に、サービス提供システム１の概略構成を示す。
図１に示すように、このサービス提供システム１は、第１の移動体端末装置（Ｍ１）３、第２〜第ｎの移動体端末装置（Ｍ２〜Ｍｎ）及びサーバ装置５を備えてなり、各移動体端末装置とサーバ装置とはネットワークＮを介して夫々無線接続されている。
第１の移動体端末装置３は、ユーザが携帯可能な通信端末装置であり、例えば、携帯電話機、ＰＤＡ（Ｐｏｒｔａｂｌｅ Ｄｉｇｉｔａｌ Ａｓｓｉｓｔａｎｔｓ）、携帯ゲーム機、ノート型ＰＣ、ＰＮＤ（Ｐｏｒｔａｂｌｅ Ｎａｖｉｇａｔｉｏｎ Ｄｅｖｉｃｅ）、車載ナビゲーション装置等が挙げられる。特に、スマートフォンが好適である。
【００２７】
第１の移動体端末装置３は、出力部３１、入力部３２、通信部３３、端末位置検出部３４、生成・保有部３５及び比較部３６を備える。
出力部３１は、ディスプレイを含み、入力画面や後述するバーチャルチケット、バーチャルショップにおける商品等、ライブ映像等、その他の情報を表示する。この出力部３１は、ライブ音声等、その他の情報を発信可能な音声発信部を含むこともできる。
入力部３２は、例えば、ユーザの指令の入力に用いられる。具体的には、バーチャルチケットの実行、バーチャルショップでの商品等購入の際の入力に用いられる。入力部３２として、マウス、ライトペン又はディスプレイの表示内容と協働するタッチパネル等のポインティングデバイスやキーボード又はマイクロホン等の音声入力装置を用いることができる。
【００２８】
端末側通信部３３は、各種情報をサーバ装置５へ送信する送信部と、各種情報をサーバ装置５から受信する受信部とを備える。当該端末側通信部３３が送信する情報としては、例えば、後述の端末位置検出部３４で検出された移動体端末装置の位置や時刻、入力部３２で入力された情報等が挙げられる。また、当該端末側通信部３３が受信する情報としては、例えば、バーチャルチケット、バーチャルショップにおける商品等、ライブ映像等が挙げられる。
端末位置検出部３４は、ＧＰＳ装置やジャイロ装置により端末装置の現在の位置情報を検出する。併せて、現在時刻を検出することもできる。
生成・保有部３５は、バーチャルチケットの配信に基づいて、該バーチャルチケットに関連付けるための時間制限情報を生成し、保有する。当該時間制限情報は、例えば、バーチャルチケットを受信した後所定時間以内（例えば、３時間以内など）としたり、バーチャルチケットを受信した日内等とすることができる。他の例として、生成・保有部３５は、上記時間制限情報に代えて、あるいは、時間制限情報と併せて、位置制限情報を生成しても良い。当該位置制限情報は、例えば、イベント会場位置から所定距離内（例えば、１０ｋｍ以内など）としたり、第１の移動体端末装置のユーザの自宅に関する情報が存在する場合には、当該ユーザの自宅まで等とすることができる。これらの制限情報は、受信したバーチャルチケットに関連付けて、生成・保有部３５内に保有される。
【００２９】
比較部３６は、入力部３２を介したバーチャルチケット実行のための入力操作をトリガとして、実行されようとするバーチャルチケットの有効性を検証すべく次の比較処理を行う。すなわち、比較部３６は、端末位置検出部３４及び生成・保有部３５を参照し、バーチャルチケット実行操作時における端末位置検出部３４で検出される時刻を、生成・保有部３５に保有されたバーチャルチケットに関連付けられた時間制限情報と比較する。比較の結果、検出された時刻が時間制限情報を充足している場合には、バーチャルチケットが有効である旨の情報が通信部３３を介してサーバ装置５へ送信される。一方、検出された時刻が時間制限情報を充足していない場合には、バーチャルチケットが無効である旨の情報が送信される。他の例として、検出された時刻が時間制限情報を充足している場合には、バーチャルチケットの実行操作が通信部３３を介してサーバ装置５へ送信される。一方、検出された時刻が時間制限情報を充足しない場合には、バーチャルチケットの実行操作はキャンセルされるようにしても良い。制限情報として、上述の位置制限情報が採用される場合には、比較部３６は、バーチャルチケット実行操作時における端末位置検出部３４で検出される座標を、生成・保有部３５に保有されたバーチャルチケットに関連付けられた位置制限情報と比較する。時間制限情報及び位置制限情報が採用される場合には、検出された時刻、座標のいずれか一方、あるいは両方が制限情報を充足している場合に、バーチャルチケットの実行操作をサーバ装置５へ送信することができる。
【００３０】
サーバ装置５は、通信部５１、イベント関連情報ＤＢ５２、判定部５３、配信部５４、通信許可部５５及び提供部５６を備える。
サーバ側通信部５１は、各種情報を移動体端末装置Ｍ１〜Ｍｎへ送信する送信部と、各種情報を移動体端末装置Ｍ１〜Ｍｎから受信する受信部とを備える。当該サーバ側通信部５１が送信する情報としては、例えば、バーチャルチケット、バーチャルショップにおける商品等、ライブ映像等が挙げられる。また、当該サーバ側通信部５１が受信する情報としては、例えば、端末位置検出部３４で検出された移動体端末装置の位置や時刻、入力部３２で入力された情報等が挙げられる。
【００３１】
イベント関連情報ＤＢ５２には、イベント内容に関連する情報が格納される。イベント内容は、所定の場所に観客等を集客して行われるものであれば良く、例えば、歌手のコンサートや、野球の試合、ファッションイベント、遊園地やテーマパーク等が挙げられる。イベント関連情報ＤＢ５２に格納される情報としては、歌手のコンサートであればコンサート会場、野球の試合であればドーム等の試合会場等イベント会場の位置情報が、イベント内容に関連付けて格納されている。他の情報としては、ユーザに提供するサービスの内容、すなわち、イベント内容に関連するバーチャルショップを構成するためのデータ（商品データ等）や、イベント会場内のライブ音声やライブ映像等が格納されている。このイベント関連情報ＤＢ５２は、この例に示すようにサーバ装置５内に設けられていても良く、また、サーバ装置５と無線接続可能なようにサーバ装置５と別に設けられていても良い。
判定部５３は、移動体端末装置がイベント会場を退場したか否かを判定する。当該判定の方法として、例えば、サーバ側通信部５１を介して取得された移動体端末装置の端末位置と、イベント関連情報ＤＢ５２内のイベント会場位置とに基づいて判定できる。すなわち、イベント会場位置内に位置していた端末位置がイベント会場位置外に位置したとき、移動体端末装置がイベント会場を退場したと判定される。他の判定方法として、例えば、イベント会場への入退場を管理可能なシステム（例えば、フェリカ（登録商標）等を用いたシステム）を用いて、移動体端末装置がイベント会場を退場したか否かを判定しても良い。
【００３２】
配信部５４は、判定部５３の判定結果に基づいて、移動体端末装置がイベント会場を退場したと判定されたとき、該移動体端末装置へサーバ装置５内提供部５６との通信を可能にするためのバーチャルチケットを配信する。当該バーチャルチケットの配信は、チケットに相当するデジタルデータを移動体端末装置へ送信することにより行われる。例えば、ユーザの移動体端末装置に対応する電子メールにバーチャルショップのＷｅｂサイトへアクセス可能なＵＲＬ情報や、イベント会場内のライブ音声、ライブ映像を視聴可能なＵＲＬ情報等を貼付して送信することにより行われる。
通信許可部５５は、移動体端末装置３内比較部３６の比較結果に基づいて、移動体端末装置とサーバ装置５内提供部５６との間の通信を許可する。上記比較の結果、バーチャルチケットが有効である旨の情報を受信した場合には上記通信を許可し、無効である旨の情報を受信した場合には上記通信を不許可とする。当該通信が許可された場合には後述の提供部５６へ進む。一方、当該通信が不許可となった場合には、提供部５６との接続を不可とし、当該バーチャルチケットは無効である旨のメッセージを移動体端末装置に送信することができる。
提供部５６は、移動体端末装置に、バーチャルショップの利用、ライブ音声やライブ映像の配信等のサービスを提供する。
【００３３】
図２を用いて、図１に示すサービス提供システム１の動作の一例を説明する。
まず、ステップ１０では、端末位置検出部３４は移動体端末装置３の端末位置を検出し、通信部３３を介してサーバ装置５へ送信する。サーバ装置５は、ステップ１０の端末位置を受信する（ステップ３０）。
ステップ３１では、判定部５３は、ステップ３０で受信した端末位置がイベント会場位置と比較してイベント会場外と判定したとき（ステップ３１：Ｙｅｓ）、ステップ３２へ進む。
ステップ３２では、判定部５３は、移動体端末装置３に対して該端末位置の移動履歴を要求し、移動体端末装置３から送信された該端末位置の移動履歴を受信する（ステップ１１、３２）
ステップ３３では、判定部５３は、ステップ３２で受信した移動履歴とイベント会場位置とを比較してイベント会場内にいたと判定したとき（ステップ３３：Ｙｅｓ）、第１の移動体端末装置３がイベント会場を退場したと判定する（ステップ３４）。
ステップ３５では、配信部５４は、移動体端末装置３へバーチャルチケットを配信する。
【００３４】
ステップ１２では、移動体端末装置３は、通信部３３を介してステップ３５で配信されたバーチャルチケットを受信する。
ステップ１２でバーチャルチケットを受信すると、生成・保有部３５は、該受信時刻に基づき、該受信時刻から３時間を時間制限情報として生成し、保有する（ステップ１３）。
入力部３２を介してバーチャルチケットの実行入力がされると（ステップ１４）、比較部３６は、端末位置検出部３４で検出された現在時刻と（ステップ１５）、ステップ１３で生成された時間制限情報とを比較し、現在時刻が時間制限情報内であるとき（ステップ１６：Ｙｅｓ）、ステップ１４のバーチャルチケットの実行入力をサーバ装置５へ送信する（ステップ１７）。
通信許可部５５は、ステップ１７の送信を受信すると、バーチャルショップへのアクセスを許可し（ステップ３６）、提供部５６は、バーチャルショップのＷｅｂサイトを第１の移動体端末装置３に提供する（ステップ３７）。
ステップ３７の提供を受けて、出力部３１は、提供されたバーチャルショップのＷｅｂサイトを表示する（ステップ１８）。
【００３５】
図３に、他の実施の形態のサービス提供システム１００を示す。図３において、図１と同一の要素には同一の符号を付して、その説明を部分的に省略する。
図３に示すのは、バーチャルチケットに関連付けるための制限情報をサーバ装置側で生成可能なサービス提供システム１００である。すなわち、当該システム１００は、図１に示すシステム１において、第１の移動体端末装置３及びサーバ装置５に代えて、夫々第１の移動体端末装置１０３及びサーバ装置１０５を備えている。
第１の移動体端末装置１０３は、出力部３１、入力部３２、通信部３３、端末位置検出部３４及び比較部１３１を備える。
比較部１３１は、比較部３６と同様に、入力部３２を介したバーチャルチケット実行のための入力操作をトリガとして、実行されようとするバーチャルチケットの有効性を検証する。比較部１３１は、端末位置検出部３４で検出された時刻あるいは座標と、サーバ装置１０５内生成部１５１で生成され、通信部５１及び３３を介して取得された制限情報とを比較する。比較結果については、比較部３６と同様の方法で処理することができる。
【００３６】
サーバ装置５は、通信部５１、イベント関連情報ＤＢ５２、判定部５３、生成部１５１、配信部１５２、通信許可部５５及び提供部５６を備える。
生成部１５１は、判定部５３の判定結果に基づいて、移動体端末装置がイベント会場を退場したと判定されたとき、バーチャルチケットに関連付けるための制限情報を生成する。当該制限情報は、時間制限情報、位置制限情報のいずれであっても良く、また両方であっても良い。制限情報の生成方法は、生成・保有部３５と同様の方法で行うことができる。
配信部１５２は、生成部１５１で生成された制限情報とともにバーチャルチケットを移動体端末装置へ配信する。バーチャルチケットの配信方法は、制限情報を関連付けて配信する他は、配信部５４と同様の方法で行うことができる。
【００３７】
図４に、他の実施の形態のサービス提供システム２００を示す。図４において、図１及び図３と同一の要素には同一の符号を付して、その説明を部分的に省略する。
図４に示すのは、バーチャルチケットに関連付けるための制限情報をサーバ装置側で生成し、バーチャルチケット実行時における該バーチャルチケットの有効性の判断についてもサーバ装置側で行うサービス提供システム２００である。すなわち、当該システム２００は、図１に示すシステム１において、第１の移動体端末装置３及びサーバ装置５に代えて、夫々第１の移動体端末装置２０３及びサーバ装置２０５を備えている。
第１の移動体端末装置２０３は、出力部３１、入力部３２、通信部３３及び端末位置検出部３４を備える。
【００３８】
サーバ装置５は、通信部５１、イベント関連情報ＤＢ５２、判定部５３、生成・保有部２５１、配信部２５２、比較部２５３、通信許可部２５４及び提供部５６を備える。
生成・保有部２５１は、判定部５３の判定結果に基づいて、移動体端末装置がイベント会場を退場したと判定されたとき、バーチャルチケットに関連付けるための該バーチャルチケットを識別可能なＩＤ情報及び制限情報を生成し、生成されたＩＤ情報と制限情報とを関連付けて保有する。当該制限情報は、時間制限情報、位置制限情報のいずれであっても良く、また両方であっても良い。制限情報の生成方法は、生成・保有部３５と同様の方法で行うことができる。
配信部２５２は、生成・保有部２５１で生成されたＩＤ情報とともにバーチャルチケットを移動体端末装置へ配信する。バーチャルチケットの配信方法は、ＩＤ情報を関連付けて配信する他は、配信部５４と同様の方法で行うことができる。
【００３９】
比較部２５３は、移動体端末装置２０３内通信部３３を介したバーチャルチケットの実行操作の受信をトリガとして、実行されようとするバーチャルチケットの有効性を検証する。比較部２５３は、生成・保有部２５１を参照して、受信したバーチャルチケットのＩＤ情報が関連付けられた制限情報を読み出す。一方、通信部３３及び５１を介して取得された移動体端末装置の時刻あるいは座標と、該読み出された制限情報とを比較する。比較の結果、検出された時刻あるいは座標が制限情報を充足している場合には、バーチャルチケットが有効である旨の情報を通信許可部２５４に送る。一方、検出された時刻あるいは座標が制限情報を充足しない場合には、バーチャルチケットが無効である旨の情報を通信許可部２５４に送り、それとともに、あるいはそれに代えて、バーチャルチケットの実行操作がキャンセルされるようすることができる。
通信許可部２５４は、比較部２５３の比較結果に基づき、バーチャルチケットが有効であるときには提供部５６との通信を許可する。
【００４０】
図５に、この発明の実施例のサービス提供システム３００を示す。図５において、図１、図３及び図４と同一の要素には同一の符号を付して、その説明を部分的に省略する。
図５に示すのは、サービス提供としてライブ映像を配信するに際し、ユーザのイベント会場内での視点と同様の視点で視聴可能なライブ映像を配信するサービス提供システム３００である。すなわち、当該システム３００は、図１に示すシステム１において、第１の移動体端末装置３及びサーバ装置５に代えて、夫々第１の移動体端末装置３０３及びサーバ装置３０５を備えている。
【００４１】
第１の移動体端末装置３０３は、制御部３３１、メモリ部３３２、出力部３１、入力部３２、インターフェース部３３３、通信部３３、端末位置検出部３４、生成・保有部３５及び比較部３６を備えている。
端末側制御部３３１はＣＰＵ、バッファメモリその他の装置を備えたコンピュータ装置であり、第１の移動体端末装置３０３を構成する他の要素を制御する。
端末側メモリ部３３２にはコンピュータプログラムが保存され、このコンピュータプログラムはコンピュータ装置である端末側制御部３３１に読み込まれて、これを機能させる。このコンピュータプログラムはＳＤ（登録商標）メモリカード等の汎用的な媒体へ保存できる。
端末側インターフェース部３３３は移動体端末装置３０３を無線ネットワーク等へ連結させる。
【００４２】
サーバ装置３０５は、制御部３５１、メモリ部３５２、インターフェース部３５３、取得部３５４、イベント関連情報ＤＢ３５５、判定部５３、配信部５４、通信許可部５５、特定部３５６、選択部３５７及び提供部３５８を備えている。
サーバ側制御部３５１はＣＰＵ、バッファメモリその他の装置を備えたコンピュータ装置であり、サーバ装置３０５を構成する他の要素を制御する。
サーバ側メモリ部３５２にはコンピュータプログラムが保存され、このコンピュータプログラムはコンピュータ装置であるサーバ側制御部３５１に読み込まれて、これを機能させる。このコンピュータプログラムはＤＶＤ等の汎用的な媒体へ保存できる。
サーバ側インターフェース部３５３はサーバ装置３０５を無線ネットワーク等へ連結させる。
取得部３５４は、イベント会場内に設置された複数のカメラ等の撮像機で撮像されたライブ映像を、逐次該撮像機の位置情報と関連付けて取得し、後述のイベント関連情報ＤＢへ送る。例えば、イベント会場内の座席ごとにカメラが設置されている場合には、座席情報に関連付けてライブ映像を取得することができる。
【００４３】
イベント関連情報ＤＢ３５５には、イベント会場の位置情報の他、取得部３５４で取得されたイベント会場内のライブ映像が撮像された位置情報とともに格納されている。
特定部３５６は、移動体端末装置３０３のイベント会場内の移動履歴に基づいて、該イベント会場内における該移動体端末装置の位置を特定する。当該特定の方法として、例えば、移動体端末装置３０３内端末位置検出部３４で検出された端末位置の移動履歴に基づいて、該イベント会場内において該移動体端末装置が存在していた位置を特定することができる。他の例としては、イベント会場内において移動体端末装置が位置していた座席情報を取得可能な場合には、該座席情報を移動体端末装置の位置と特定することができる。
選択部３５７は、特定された位置に基づいて、イベント関連情報ＤＢ３５５に格納されたライブ映像を選択する。当該選択の方法としては、特定された位置から最も近い位置情報が関連付けられたライブ映像を選択する。特定部３５６でイベント会場内における移動体端末装置の座席情報が特定されている場合には、該座席情報に対応する位置情報が関連付けられたライブ映像を選択することとしても良い。
提供部３５８は、選択部３５７で選択されたライブ映像の配信を提供する。
【００４４】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００４５】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００４６】
１  １００  ２００  ３００  サービス提供システム
３  １０３  ２０３  ３０３  移動体端末装置
５  １０５  ２０５  ３０５  サーバ装置
３４  端末位置検出部
３５  ２５１  生成・保有部
３６  １３１  ２５３  比較部
５２  ３５５  イベント関連情報ＤＢ
５３  判定部
５４  １５２  ２５２  配信部
５５  ２５４  通信許可部
５６  ３５８  提供部
１５１  生成部
３５４  取得部
３５６  特定部
３５７  選択部
【図１】
2015162031.tif 000003
【図２】
2015162031.tif 000004
【図３】
2015162031.tif 000005
【図４】
2015162031.tif 000006
【図５】
2015162031.tif 000007